(57)【要約】スペーサ（Ｂ）を用いて互いに一定間隔（ｂ）を空けて配置される第一厚（ａ）をもつ第一キャリア箔（Ａ）と第二厚（ｃ）をもつ第二キャリア箔（Ｃ）を備えて構成される箔型スイッチ素子。スイッチ素子は、前記第一及び第二キャリア箔の少なくとも一方の最大反りが前記第一及び第二キャリア箔間の間隔の４／５以上となり、及び／または前記第一及び第二キャリア箔の少なくとも一方の最大反りが前記キャリア箔の前記厚さの４／５以上となるように構成される。
2008529207.tif 000002
【特許請求の範囲】
【請求項１】
スペーサを用いて互いに一定間隔を空けて配置される第一厚をもつ第一キャリア箔と第二厚をもつ第二キャリア箔を備えて構成される箔型スイッチ素子であって、
前記スペーサにはスイッチ素子の能動部分を画定する切り欠きが少なくとも１個設けられ、及び
スイッチ素子の能動部分内の前記第一及び第二キャリア箔間に配置された少なくとも２本の電極、これらは、スイッチ素子の能動部分に対して作用する圧力に反応して前記第一及び第二キャリア箔がそれら自体がもつ弾性によって生ずる反発力に抗して共に押しつけられる結果前記少なくとも２本の電極間に電気接触が生ずるように配置され、及び
前記第一キャリア箔あるいは第二キャリア箔のいずれか一方の最大反りが前記第一及び第二キャリア箔間の間隔の４／５以上となることを特徴とする前記箔型スイッチ素子。
【請求項２】
前記第一及び第二キャリア箔の少なくとも一方の最大反りが前記キャリア箔の前記厚さの４／５以上となることを特徴とする請求項１項記載の箔型スイッチ素子。
【請求項３】
スペーサを用いて互いに一定間隔を空けて配置される第一厚をもつ第一キャリア箔と第二厚をもつ第二キャリア箔を備えて構成される箔型スイッチ素子であって、
前記スペーサにはスイッチ素子の能動部分を画定する切り欠きが少なくとも１個設けられ、及び
スイッチ素子の能動部分内の前記第一及び第二キャリア箔間に少なくとも２本の電極が配置され、これらの電極が、スイッチ素子の能動部分に対して作用する圧力に反応して前記第一及び第二キャリア箔がそれら自体がもつ弾性によって生ずる反発力に抗して共に押しつけられる結果前記少なくとも２本の電極間に電気接触が生ずるように配置され、及び
前記第一キャリア箔あるいは第二キャリア箔のいずれか一方の最大反りが前記第一及び第二キャリア箔の厚さの４／５以上となることを特徴とする前記箔型スイッチ素子。
【請求項４】
前記第一キャリア箔及び第二キャリア箔の少なくとも一方のキャリア箔の最大反りが前記第一及び第二キャリア箔間の前記間隔の４／５以上となることを特徴とする請求項２項記載の箔型スイッチ素子。
【請求項５】
少なくとも１層の感圧材料から成る層が含まれ、この感圧材料を介して前記電極間の前記電気接触が生ずるように前記感圧材料層が配置されることを特徴とする請求項１〜４のいずれか１項記載の箔型スイッチ素子。
【請求項６】
請求項１〜５のいずれか１項に記載された箔型スイッチセンサを複数備えて構成されるシートセンサ。
【発明の詳細な説明】
【技術分野】
【０００１】
本発明は、広くは、スペーサを用いて互いに一定間隔を空けて配置される第一キャリア箔及び第二キャリア箔を有し成る箔型スイッチ素子に関する。前記スペーサには少なくとも１個の切り欠きが設けられ、この切り欠きによってスイッチ素子の能動部分が画定される。スイッチ素子の前記能動部分内の前記第一キャリア箔と第二キャリア箔の間には少なくとも２本の電極が設けられ、これら電極は、スイッチ素子の能動部分に対して作用する圧力に反応して該第一及び第二キャリア箔がそれら自体がもつ弾性に基づく反発力に抗して共に押しつけられ、これら少なくとも２本の電極間に電気接触が生ずるように配置される。
【背景技術】
【０００２】
上述したような箔型スイッチ素子に関しては、いくつかの実施態様が当該技術分野において公知である。このようなスイッチ素子のいくつかのものは、例えば第一電極が第一キャリア箔上へ配置され、及び第二段極が第二キャリア箔上へ前記第一平面電極と対向位置関係となるように配置される単純スイッチとして構成される。これら電極は、前記能動部分内にあるキャリア箔それぞれのほぼ表面全体を覆う平面形状に形成可能である。
【０００３】
当該技術分野で公知の他のスイッチ素子は、加えられる圧力によって圧力が変化する圧力変換器として構成されている。このような圧力変換器の第一の実施態様においては、第一電極が第一キャリア箔上へ配置され、及び第二電極が該第一電極と対向するように第二キャリア箔上へ配置されている。これら電極の少なくとも一方は、例えば半導体材料のような感圧材料から成る層で被覆され、第一及び第二キャリア箔がスイッチ素子に対して作用する応力に反応して共に押しつけられる時に、感圧材料層を介して第一及び第二電極間に電気接触が生ずるように構成されている。このような型式の圧力センサは、所謂「スルーモード」で作動させる場合にしばしば用いられる。
【０００４】
圧力変換器の別の実施態様においては、第一及び第二電極が第一及び第二キャリア箔のいずれか一方の上へ一定間隔を空けて配置され、他方のキャリア箔は感圧材料から成る層で被覆される。この感圧材料から成る層は、前記第一及び第二キャリア箔がスイッチ素子の能動部分に対して作用する応力に反応して共に押しつけられた時に、感圧材料層によって第一及び第二が分路されるように、該第一電極及び第二電極へ対向位置関係となるように配置される。このような型式のセンサは所謂「分路モード」で作動させる場合に用いられる。
【０００５】
上記スイッチ素子はコスト効率的に製造することが可能であり、また実用上極めて堅牢で信頼性が高いことが実証されている。
【０００６】
上述したような圧力センサの電気反応は、電極の種類、感圧材料層の存在、電極の設計及びスイッチ素子能動部分内への配置、そして能動部分に対して作用する応力に反応して電極間に確立される物理的接触に依存して異なる。電極間の物理的接触は、能動部分に対して応力が作用する場合、スイッチ素子の機械的反応によって決まる。この機械的反応はキャリア箔の弾性、能動部分の横方向寸法、及び対向する２個のキャリア箔間の間隔によって異なる。
【０００７】
一定のサイズ及び形状をもつスイッチ素子の場合、圧力センサの機械的反応は、いずれの型式においても、キャリア箔の機械的特性を調整することによって適合化させることが可能である。安価な箔型スイッチ素子のキャリア箔は、通常プリントされた電極への接着力を高めるために必要に応じて表面処理が為されたＰＥＴあるいはＰＥＮ等のプラスチック製シート材から作製される。しかしながら、これら材料の弾性はスイッチ素子の機械的反応に関する要求に必ずしも対応できていない。例えば、ＰＥＴあるいはＰＥＮについて温度と弾性率の関係をグラフにすると、各閾値温度においてスイッチ素子に対して最適とはいえない作用を与える有意な段状のグラフとなって現れる。
【０００８】
キャリア箔に用いられる別の材料としてポリイミド（ＰＩ）がある。ＰＩの弾性率は、例えば−５０〜＋２００℃等の広範囲な温度域において殆ど変化しない。このようなＰＩの機械的特性は圧力センサへの利用に極めて適するものであるが、ＰＥＴ及びＰＥＮに比べてＰＩは非常に高価である。
【０００９】
それゆえ、性能のよいキャリア箔を備えた圧力センサが必要とされている。この課題を達成するため、ＷＯ−Ａ−２００４／０５３９０８では、少なくとも１個のキャリア箔が異なる材料から成る２層以上の多層構造に構成された箔型スイッチ素子が開示されている。適する材料を用い、かつそれぞれの層の厚さを適切に設定することにより、前記多層構造キャリア箔の機械的特性を広範囲に亘る用途毎に異なる特殊な要求に精密に適合させることが可能である。しかしながら、製造過程において厳しい耐久性が要求されるため、このような多層キャリア箔の製造は困難であり、その結果としてかなり高価なものとなる。
【００１０】
本発明はさらに、上記箔型スイッチ素子を多数含んで成るセンサマットにも関する。このようなセンサマットは、例えば自動車シートにおける乗客存在検知、チャイルドシート検知、及び／または占有者類別センサ等に利用可能である。このようなセンサマットあるいはシートセンサによって作動中に与えられる情報を用いることにより、警報信号、エアバッグの膨張あるいは非膨張、あるいはエアバッグの展開速度の適正化等を通してドライバーあるいは乗客の安全性が向上される。
【００１１】
前記シートセンサを、シートベルト確認装置あるいはシート上の人物の位置を測定する光学または赤外装置等の他のセンサと組み合わせて使用することも可能である。エアバッグ装置の作動と連携させて用いる場合には、シート占有者の安全にとって重大であることから、自動車産業における最高レベルの性能及び信頼性が要求される。他方、シートへ一体化されるセンサマットには、最適な通風性を保持すること、及びシート中に配備されることによって座り心地に負の影響が生じないように薄くかつ柔軟であることが要求される。
【発明の開示】
【発明が解決しようとする課題】
【００１２】
本発明は改良型箔型スイッチ素子を提供することを目的とする。
【課題を解決するための手段】
【００１３】
本発明の目的を達成するため、本発明ではスペーサを用いて互いに一定間隔を空けて配置される第一厚をもつ第一弾性キャリア箔と第二厚をもつ第二弾性キャリア箔を備えて成る箔型スイッチ素子が提供される。このスペーサには少なくとも１個の切り欠きが形成され、この切り欠きによってスイッチ素子の能動部分が画定される。スイッチ素子の能動部分内の前記第一及び第二キャリア箔間には少なくとも２本の電極が配置され、これら電極は、スイッチ素子の能動部分に対して圧力が加えられると第一及び第二キャリア箔がそれら自体がもつ弾性によって生ずる反発力に抗して共に押しつけられ、前記少なくとも２本の電極間に電気的接触が生ずるようになっている。本発明に従って、前記スイッチ素子は、前記第一キャリア箔あるいは第二キャリア箔の少なくとも一方の最大反りが前記第一及び第二キャリア箔間の間隔の４／５あるいはそれ以上となり、及び／または前記第一及び第二キャリア箔の少なくとも一方の最大反りが該キャリア箔の厚さの４／５またはそれ以上となるように構成される。
【００１４】
本発明の好ましい実施態様では、前記箔型スイッチ素子に少なくとも１層の感圧材料から成る層が含まれ、前記電極間の電気接触が該感圧材料の層を介して生ずるように配置される。
【００１５】
本発明では、単スイッチ素子に加えて、上記複数の箔型スイッチセンサから成るシートセンサも開示されている。
【００１６】
本発明に従ったスイッチ素子は、好ましくは圧力センサ、あるいは加えられる圧力量に従って変化する電気抵抗をもつ圧力変換器として構成される。このような実施態様においては、スイッチ素子は、スイッチ素子の能動部分内の第一及び第二キャリア箔間に感圧材料から成る層が電極と共に配置されれ、第一及び第二キャリア箔がスイッチ素子の能動部分に対して作用する圧力に反応してそれらキャリア箔自体がもつ弾性によって生ずる反発力に抗して共に押しつけられ、それによって少なくとも２本の電極間に該感圧材料層を介して電気接触が生ずるようなっている。
【００１７】
本発明により、最高レベルのセンサ性能によって得られる乗客の安楽性と、好ましくは異なる２種の相補特性をもつ市販のポリマーフィルムを用いることによって得られる信頼性が同時に実現される。スイッチ素子、特にその能動部分の作動原理及び設計、さらには完成マットの作動原理及び設計はこれらのポリマーフィルムの使用に特に適合するものである。
【００１８】
乗客存在検知、チャイルドシート検知、あるいは自動車シートの占有者類別を行うセンサマットは、通常それぞれが能動部分をもつスイッチ素子を配列して構成される。マットが３層に積層されたポリマー層から成る場合、それら層の内側の層はスペーサとして利用される。センサマットの厚さは通例０．５ｍｍ以下であるので、該マットを乗客シートのクッション下へ配置しても乗客がその存在を感じることはない。個々のスイッチ素子にはスペーサによって分離された２つの弾性部材が含まれ、このスペーサには、スイッチ素子の能動部分領域内に、切り欠きが設けられる。通風システムにより、セル内の静水圧とセル外のそれが等圧になるように確保される。
【００１９】
圧縮圧がスイッチ素子の能動部分へ加えられると、２つのキャリア箔あるいは膜は、互いに他方の方へ一定圧力を超えて互いに接触するまで弾力的に変形する。感圧材料を介して電極間に電気抵抗が生ずるように配置される少なくとも１層の感圧材料層がスイッチ素子に含まれていると、電極間の電気抵抗は加えられる圧力の関数となる。その結果、個々のスイッチ素子の抵抗によって該スイッチの能動部分に対して作用する圧力が示される。
【００２０】
作動中、個々のスイッチ素子の抵抗値が制御装置によって記録され、付属の電子論理によって、乗客がシートに座っているかどうか、あるいはチャイルドシートが置かれているかどうかが識別され、またサイズ及び重量からシート占有者の特徴を類別することが可能である。各セルの抵抗・圧力曲線は、センサの寿命期間中、種々気候条件に対して高度に再現可能でなければならない。すべて数値化された抵抗・圧力曲線は１０〜５００ミリバールの典型的圧力範囲に亘って電子装置によって翻訳処理されることから、単膜スイッチの機能性をはるかに超えるものである。
【００２１】
あらゆる最新のセンサ用途において、膜の最大反りはその厚さに等しいか、あるいはその厚さの３／４以下であり、かつ膜間隔に等しいか、あるいは該間隔の３／４以下である。例えばＰＩを用いる典型的センサでは、ＰＩ膜の厚さは通常約１２５μｍ、スペーサ厚は約９０μｍであり、そしてＰＩ膜の変形能は約７０μｍである。
【００２２】
シート占有者類別センサを製造するための最新技術ではポリイミド（ＰＩ）あるいはポリエーテルイミド（ＰＥＩ）から成る高性能ポリマーフィルムが使用されている。少なくとも１層の膜がＰＩまたはＰＥＩを用いて作製されている。そのためセンサ製造において、材料コストが不相応に高くなっている。これらの材料を用いなければならない理由はそれら材料の極めて優れた弾性特性にある。これら材料の弾性率は室温で約３ギガパスカルであり、−４０〜１２０℃の温度域において温度上昇と共に弾性率がなだらかに直線的に減少することを特徴としている。またこれら材料は２００℃以下の温度域においてガラス転移を生じないため、高温での長時間作動中に望ましくない膜のクリープの発生が防止され。これら材料の老化は少程度であるため、種々気候条件において安定な機械的特性が確保される。また軟化温度が２００℃以上と高いため、センサ製造工程、特にインク硬化工程における比較的高温にも耐久性である。
【００２３】
本発明では、センサの機能及び信頼性を損なうことなく、高性能だが高コストなフィルムを低コストな汎用フィルムへ置き換える技術が提供される。かかる技術は新規な設計による能動セル及びセンサマットによって可能とされる。
【００２４】
本発明では、汎用のポリマーフィルムだけを用いて相補特性をもつフィルム材料が提供される。従って、少なくとも２種の異なる種類のポリマーフィルムが好ましく用いられる。その一種は、以下においてＩ型と記載される高度な機械的堅牢性、高弾性率及び高耐薬品性を有するフィルムである。Ｉ型フィルムの欠点はガラス転移温度が低いため、温度によるクリープ及び温度に対して弾性率が強く非直線的に依存することを避けられないことである。以下においてＩＩ型と呼ばれる別のフィルム材料は、該材料のヤング率と−４０〜１２０℃の範囲内の温度間に直線関係があること、及びそのガラス転移温度が１５０℃以上である点においてＩ型と相補性である。しかしながらＩＩ型材料は、約２ギガパスカルとヤング率が低く、機械的堅牢性も低く、さらに耐薬品性にも劣る。典型的Ｉ型材料としては例えばポリエチレンテレフタレート（ＰＥＴ）が挙げられ、またＩＩ型材料としてはポリカーボネート（ＰＣ）が挙げられる。
【００２５】
センサは３つの柔軟なポリマーフィルム、すなわち２つの膜と該膜間に介在するスペーサフィルムから作製される。これらフィルムは同一フィルム材料から成るものでよく、あるいは異なる材料や厚さから成るものでもよい。能動セルの全厚、あるいはセンサマットの全厚はそれぞれ０．６ｍｍ以下とされる。圧力作用部分には１０〜５００ミリバールの圧力が作用し、２つの膜が接触する部分における最小圧力は１０〜１００ミリバールの範囲内である。
【００２６】
Ｉ型及びＩＩ型フィルムから成るセンサは、セルの設計が特別な作動原理に適合している場合、あたかもＰＩあるいはＰＥＴ膜を用いて作製したのと同様な性能を発揮する。この作動原理とは、Ｉ型フィルムによって機械的堅牢性の大半が付与され、他方ＩＩ型フィルムによって能動セルの弾性性能の大半が付与されることである。その結果、ＩＩ型フィルムはＩ型フィルムよりも厚い。その主たる理由は、ＩＩ型フィルムは機械的堅牢性（例えば保持耐久性）に劣ること、及びＩ型フィルムがクリープ感受性であるためである。前記スペーサはＩ型フィルムから作製可能であるが、他の機械的堅牢性に優れる材料を用いて作製してもよい。
【００２７】
前記セルは、ＩＩ型膜の最大反り（センサセル中心における箔面に対して垂直な反り）が前記膜間の間隔（この間隔はスペーサ厚に実質的に一致する）の４／５以上となり、及び／またはＩＩ型膜の最大反りがこの膜の前記厚さの４／５以上となるように構成されなければならない。
【発明を実施するための手段】
【００２８】
本発明について、添付図面を参照しながら以下において説明される非限定的実施態様を用いてさらに明らかにする。
【００２９】
図１は、加圧されていない状態にあるスイッチ素子能動部分を示す略断面図（縮尺通りでない）である。図２は、膜へそれらの最大振幅まで反りを引き起こすのに十分な圧力を加えた時の、前記と同一な膜の状態を示す断面図である（縮尺通りでない）。この圧力は単方向性あるいは単軸性であってもよい。
【００３０】
スイッチ素子には、スペーサ膜Ｂと共に積層された第一膜Ａ及び第二膜Ｃが含まれる。図１及び図２において、ａは膜材Ａの厚さを表し、ｃは膜材Ｃの厚さを表し、及びｂは膜Ａと膜Ｃの間の間隔を表す。スペーサ材はＢで示されている。加圧下における膜の最大反りは図２にｄで示されている。
【００３１】
スイッチ素子にはさらに少なくとも２本の電極が含まれ、これら電極は該スイッチ素子の能動部分内の第一及び第二キャリア箔間に、スイッチ素子の能動部分に対して作用する圧力に反応して前記第一及び第二キャリア箔がそれら自体がもつ弾性によって生ずる反発力に抗して共に押しつけられる結果、前記少なくとも２本の電極間に電気接触が起こるように配置されることは当業者の知るところである。但し、これらの電極は図１及び図２には図示されていない。
【００３２】
市販のポリマーフィルムを使用する際に生ずる使用材料制限を下記２つの構成とすることにより解消可能である。
１）スイッチ素子をスペーサフィルムの中間面に対して対称とする。これら対称型スイッチ素子の膜厚ａ及びｃは同一とする。膜材Ａ及びＣはＩＩ型の同一フィルム材料から作製する。フィルムＢはＩ型フィルムから作製する。
２）スイッチ素子をスペーサフィルムの中間面に対して非対象とする。すなわち、異なる材料から成り、及び／または寸法の異なる膜を作製する。非対称スイッチ素子の膜材ＡをＩＩ型とし、膜材ＣをＩ型とする。スペーサは膜Ｃと同一材料を用いて作製できるが、Ｉ型の別のフィルム材料を用いて作製してもよい。
【００３３】
上記両構成において、双方の膜は圧力が加わると反りを生ずる。しかしながら、非対称型の場合、ＩＩ型の膜の反りはＩ型の膜の反りよりもかなり大きくなる。作動原理から、反りを生じた膜の形状、局部における応力及び歪みは膜の平面内（ｉｎ−ｐｌａｎｅ）歪みを考慮に入れて算出されなければならない。薄膜の小さな反りに関してしばしば用いられる曲げ理論を本発明へ適用してもセル作動特性を予測することはできない。構造体の細部全体によって、ＩＩ型の膜のすべての反りが純粋に弾性機構において起こることが確保される。
【００３４】
Ｉ型及びＩＩ型フィルムが相補的に働くことが確保され、及び０．６ｍｍ以下のセンサ厚、１０〜５００ミリバールの測定圧力、２つの膜が接触する１０〜１００ミリバール内の最小圧力等の境界条件が考慮される作動原理によって、以下に記載する構成上の定則が導き出される。
ａ）図２にｄで示された少なくとも１つの膜の圧力下での最大反りが、ｂで示された膜間間隔の４／５以上となること、または
ｂ）図２にｄで示された少なくとも１つの膜の圧力下での最大反りが、ａで示された膜厚の４／５以上となること。
【００３５】
本発明においては、高性能圧力センサマット中に低価格な市販の工学技術用ポリマーフィルムが用いられる。これは膜材とスペーサ材を組み合わせることによって得られ、これら各材の厚さは、一方の機械的特性が特に劣っていれば、その特性に関して特に優れた性能をもつ他方の材によって補われるように設定される。セルは、含まれる材料が作動中相補的に作用して能動セルの高性能性が確保されるように設計される。
【００３６】
占有者シートのクッションの下へ配置されるマットの機械的堅牢性はＩ型のフィルムによって付与される。非対称型に構成される場合、ＩＩ型のフィルムがマット上面へ配置されるため、下面の膜より少ない張力が作用する。対称型に構成される場合は、マットの堅牢性は主としてＩ型のスペーサフィルムによって付与される。
【００３７】
ＩＩ型フィルムの化学的老化によってセンサ性能が損なわれないように、これらフィルムは保護されなければならない。かかる保護は、１）フィルム表面へ化学的なコーティングを施すこと、あるいは２）保護層で包み込むことによって達成される。このような包み込みに関しては特許ＷＯ ０１／８６６７Ａ１に詳細に記載されている。前記包み込みには以下に記載される特徴がある。この包み込みによってセンサが化学的老化から保護される。特にこの包み込みには水を透過させない特徴がある。それは、該包み込みの内側と外側の静水雰囲気圧を同一に保持する。能動セル域内において前記包み込みは十分薄く、かつ緩く固定されているため、能動セル膜の弾性反応性に変化を及ぼすことはない。能動セル同士はこの包み込みフィルムだけで機械的に接続されるため、製造工程数が簡略化され、センサマット中への機械的応力も低減される。これらセンサマットと包み込みは融合一体化される。この包み込みは、シート中へのマットの固定にも補助的に用いられる。
【図面の簡単な説明】
【００３８】
【図１】作動されていない状態にあるスイッチ素子の膜の断面図である。
【図２】図１に示したスイッチ素子において、その能動部分に対して圧力が働いた際の膜の状態を示す断面図である。
【図１】
2008529207.tif 000003
【図２】
2008529207.tif 000004
【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
適用される圧力量によって変化する電気的抵抗を有する圧力センサとして構成された多数の箔型スイッチ素子を持つ、乗客の存在検出、チャイルドシートの検出、及び／又は占有者類別のためのセンサマットであって、
前記箔型スイッチ素子は、
スペーサを用いて互いに一定間隔を空けて配置される第一厚をもつ第一キャリア箔と第二厚をもつ第二キャリア箔、
前記スペーサにはスイッチ素子の能動部分を画定する切り欠きが少なくとも１個設けられ、及び
スイッチ素子の能動部分内の前記第一及び第二キャリア箔間に配置された少なくとも２本の電極、及び圧力感知材料からなる少なくとも一層、これらは、スイッチ素子の能動部分に対して作用する圧力に反応して前記第一及び第二キャリア箔がそれら自体がもつ弾性によって生ずる反発力に抗して共に押しつけられる結果前記少なくとも２本の電極間に前記圧力感知材料を通して電気接触が生ずるように配置され、及び
前記第一キャリア箔あるいは第二キャリア箔のいずれか一方の最大反りが前記第一及び第二キャリア箔間の間隔の４／５以上となることを特徴とするセンサマット。
【請求項２】
前記第一及び第二キャリア箔の少なくとも一方の最大反りが前記キャリア箔の前記厚さの４／５以上となることを特徴とする請求項１項記載のセンサマット。
【請求項３】
適用される圧力量によって変化する電気的抵抗を有する圧力センサとして構成された多数の箔型スイッチ素子を持つ、乗客の存在検出、チャイルドシートの検出、及び／又は占有者類別のためのセンサマットであって、
前記箔型スイッチ素子は、
スペーサを用いて互いに一定間隔を空けて配置される第一厚をもつ第一キャリア箔と第二厚をもつ第二キャリア箔、
前記スペーサにはスイッチ素子の能動部分を画定する切り欠きが少なくとも１個設けられ、及び
スイッチ素子の能動部分内の前記第一及び第二キャリア箔間に配置された少なくとも２本の電極、及び圧力感知材料からなる少なくとも一層、これらは、スイッチ素子の能動部分に対して作用する圧力に反応して前記第一及び第二キャリア箔がそれら自体がもつ弾性によって生ずる反発力に抗して共に押しつけられる結果前記少なくとも２本の電極間に電気接触が生ずるように配置され、及び
前記第一キャリア箔あるいは第二キャリア箔のいずれか一方の最大反りが前記第一及び第二キャリア箔の厚さの４／５以上となることを特徴とするセンサマット。
【請求項４】
前記第一キャリア箔及び第二キャリア箔の少なくとも一方のキャリア箔の最大反りが前記第一及び第二キャリア箔間の前記間隔の４／５以上となることを特徴とする請求項２項記載のセンサマット。
【国際調査報告】
2008529207.tif 000005
2008529207.tif 000006
2008529207.tif 000007